(57)【特許請求の範囲】
【請求項１】
磁気テープから読み込んだリードデータと基準データとの位相を比較する位相比較器と、この位相比較器から出力される位相比較信号を平滑化すると共に増幅するローパスフィルタと、このローパスフィルタが出力するＶＣＯ制御信号で発振周波数を変化させ前記位相比較器および前記ローパスフィルタと共にＰＬＬを構成するＶＣＯ回路と、磁気テープのプリアンブル領域の読み込み時のリードデータによる前記ＰＬＬの引き込みに失敗した時にリトライオーバ検出信号を出力するリトライカウンタと、前記ＶＣＯ制御信号の電圧波形の最大値が予め定めた範囲内である状態が一定の時間以上続いた時にゲイン切り換え信号を出力するＶＣＯ安定判別手段と、磁気テープのプリアンブル領域を読み込む時に最初は前記ローパスフィルタの増幅度を高く設定しておき前記リトライオーバ検出信号が出力されていなければリードデータを一定数以上読み込んだ時に前記ローパスフィルタの増幅度を低く切り換える第１の同期モードで前記ローパスフィルタを制御し前記リトライオーバ検出信号が出力された後は前記ゲイン切り換え信号が出力された時に前記ローパスフィルタの増幅度を低く切り換える第２の同期モードで前記ローパスフィルタを制御するように同期モードを切り換えるゲイン切換器とを含むことを特徴とする磁気テープ装置におけるＰＬＬ同期検出回路。
【請求項２】
磁気テープから読み込んだリードデータと基準データとの位相を比較する位相比較器と、この位相比較器から出力される位相比較信号を平滑化すると共に増幅するローパスフィルタと、このローパスフィルタが出力するＶＣＯ制御信号で発振周波数を変化させ前記位相比較器および前記ローパスフィルタと共にＰＬＬを構成するＶＣＯ回路と、磁気テープのプリアンブル領域の読み込み時のリードデータによる前記ＰＬＬの引き込みに失敗した時に行うリトライが一定の回数を超えた時にリトライオーバ検出信号を出力するリトライカウンタと、並列に接続されたコンデンサおよび抵抗で構成され前記ＶＣＯ制御信号のピークホールド信号を出力するピークホールド回路と、前記ピークホールド信号の電圧が予め定めた範囲内である状態が一定の時間以上続いた時にゲイン切り換え信号を出力するカウンタ回路と、磁気テープのプリアンブル領域を読み込む時に最初は前記ローパスフィルタの増幅度を高く設定しておき前記リトライオーバ検出信号が出力されていなければリードデータを一定数以上読み込んだ時に前記ローパスフィルタの増幅度を低く切り換える第１の同期モードで前記ローパスフィルタを制御し前記リトライオーバ検出信号が出力された後は前記ゲイン切り換え信号が出力された時に前記ローパスフィルタの増幅度を低く切り換える第２の同期モードで前記ローパスフィルタを制御するように同期モードを切り換えるゲイン切換器とを含むことを特徴とする磁気テープ装置におけるＰＬＬ同期検出回路。
【請求項３】
磁気テープから読み込んだリードデータと基準データとの位相を位相比較器で比較し、この位相比較器から出力される位相比較信号をローパスフィルタで平滑化すると共に増幅し、このローパスフィルタが出力するＶＣＯ制御信号でＶＣＯ回路の発振周波数を変化させるＰＬＬを構成し、
磁気テープのプリアンブル領域を読み込む時に最初は前記ローパスフィルタの増幅度を高く設定しておき、前記ＰＬＬの引き込みに失敗しなければリードデータを一定数以上読み込んだ時に前記ローパスフィルタの増幅度を低く切り換える第１の同期モードとし、前記ＰＬＬの引き込みに失敗した後は前記ＶＣＯ制御信号の電圧波形の最大値が予め定めた範囲内である状態が一定の時間以上続いた時に前記ローパスフィルタの増幅度を低く切り換える第２の同期モードとするように同期モードを切り換えることを特徴とする磁気テープ装置におけるＰＬＬ同期検出方法。
【請求項４】
磁気テープから読み込んだリードデータと基準データとの位相を位相比較器で比較し、この位相比較器から出力される位相比較信号をローパスフィルタで平滑化すると共に増幅し、このローパスフィルタが出力するＶＣＯ制御信号でＶＣＯ回路の発振周波数を変化させるＰＬＬを構成し、
磁気テープのプリアンブル領域を読み込む時に最初は前記ローパスフィルタの増幅度を高く設定しておき、前記ＰＬＬの引き込みに失敗しなければリードデータを一定数以上読み込んだ時に前記ローパスフィルタの増幅度を低く切り換える第１の同期モードとし、前記ＰＬＬの引き込みに失敗した後は前記ＶＣＯ制御信号の電圧波形の最大値が予め定めた範囲内である状態が一定の時間以上続いた時に前記ローパスフィルタの増幅度を低く切り換える第２の同期モードとするように同期モードを切り換え、
前記ＰＬＬの引き込みに失敗した時はその読み込みをしている磁気テープのブロックおよび引き続く一定数のブロックにおいて前記第２の同期モードとすることを特徴とする磁気テープ装置におけるＰＬＬ同期検出方法。
【請求項５】
磁気テープから読み込んだリードデータと基準データとの位相を位相比較器で比較し、この位相比較器から出力される位相比較信号をローパスフィルタで平滑化すると共に増幅し、このローパスフィルタが出力するＶＣＯ制御信号でＶＣＯ回路の発振周波数を変化させるＰＬＬを構成し、
磁気テープのプリアンブル領域を読み込む時に最初は前記ローパスフィルタの増幅度を高く設定しておき、前記ＰＬＬの引き込みに失敗しなければリードデータを一定数以上読み込んだ時に前記ローパスフィルタの増幅度を低く切り換える第１の同期モードとし、前記ＰＬＬの引き込みに失敗した後は前記ＶＣＯ制御信号の電圧波形の最大値が予め定めた範囲内である状態が一定の時間以上続いた時に前記ローパスフィルタの増幅度を低く切り換える第２の同期モードとするように同期モードを切り換え、
前記ＰＬＬの引き込みに失敗した時は、次にテープマークを検出するまでは、前記第２の同期モードとし、次にテープマークを検出した時に前記第１の同期モードに戻すことを特徴とする磁気テープ装置におけるＰＬＬ同期検出方法。
【発明の詳細な説明】
【０００１】
【発明の属する技術分野】
本発明は、磁気テープ装置におけるＰＬＬ同期検出回路および方法に関し、特にテープ走行速度の変動が大きく生じたドライブでテープに書き込まれてデータ周期の変動したデータを読み込んだ時に安定したＰＬＬの引き込みを可能とする磁気テープ装置におけるＰＬＬ同期検出回路および方法に関する。
【０００２】
【従来の技術】
磁気テープ装置では、磁気テープから磁気ヘッドにより読込んだリードデータをＰＬＬ引き込みを行った信号を用いてクロックを生成する等してデータの処理をする。磁気テープには、図２に示すように順にＩＢＧ、プリアンブル領域、データ領域、ポストアンブル領域およびＩＢＧというように、原則としてこのパターンの繰り返しでデータが記録される。磁気テープ装置のテープからデータを読み込み時におけるＰＬＬのデータの引き込みは、磁気テープにおいてデータ領域の前方に付加されるプリアンブル領域（ＡＬＬ１パターン、すなわちプリアンブル領域に書き込まれたデータは全て１である。）内で行われる。
【０００３】
この時、引き込み速度を上げるため、従来の磁気テープ装置では、磁気テープの読み取りがプリアンブル領域に突入後、所定の時間だけＰＬＬの引き込みゲインを上げ、ハイゲインの状態で、データのＰＬＬ引き込みを行っている。
【０００４】
【発明が解決しようとする課題】
上述の従来の磁気テープ装置では、ドライブの速度変動等により、磁気テープ上に書き込まれるデータのデータ周期が狭く又は広くなってしまった場合は、所定時間内でＰＬＬの引き込みが完了しないまま、ローゲインに切り換わってしまうため、引き込み途中でデータ領域に突入してしまい、リードエラーが発生するという問題があった。
【０００５】
【課題を解決するための手段】
本発明の磁気テープ装置におけるＰＬＬ同期検出回路は、磁気テープから読み込んだリードデータと基準データとの位相を比較する位相比較器（図１の１０）と、この位相比較器から出力される位相比較信号を平滑化すると共に増幅するローパスフィルタ（図１の２０）と、このローパスフィルタが出力するＶＣＯ制御信号で発振周波数を変化させ前記位相比較器および前記ローパスフィルタと共にＰＬＬを構成するＶＣＯ回路（図１の４０）と、磁気テープのプリアンブル領域の読み込み時のリードデータによる前記ＰＬＬの引き込みに失敗した時にリトライオーバ検出信号を出力するリトライカウンタ（図１の８０）と、前記ＶＣＯ制御信号の電圧波形の最大値が予め定めた範囲内である状態が一定の時間以上続いた時にゲイン切り換え信号を出力するＶＣＯ安定判別手段（図１の５０、６０、６１、６２および７０）と、磁気テープのプリアンブル領域を読み込む時に最初は前記ローパスフィルタの増幅度を高く設定しておき前記リトライオーバ検出信号が出力されていなければリードデータを一定数以上読み込んだ時に前記ローパスフィルタの増幅度を低く切り換える第１の同期モードで前記ローパスフィルタを制御し前記リトライオーバ検出信号が出力された後は前記ゲイン切り換え信号が出力された時に前記ローパスフィルタの増幅度を低く切り換える第２の同期モードで前記ローパスフィルタを制御するように同期モードを切り換えるゲイン切換器（図１の３０）とを含むことを特徴とする。
【０００８】
本発明の磁気テープ装置におけるＰＬＬ同期検出回路は、磁気テープから読み込んだリードデータと基準データとの位相を比較する位相比較器（図１の１０）と、この位相比較器から出力される位相比較信号を平滑化すると共に増幅するローパスフィルタ（図１の２０）と、このローパスフィルタが出力するＶＣＯ制御信号で発振周波数を変化させ前記位相比較器および前記ローパスフィルタと共にＰＬＬを構成するＶＣＯ回路（図１の４０）と、磁気テープのプリアンブル領域の読み込み時のリードデータによる前記ＰＬＬの引き込みに失敗した時に行うリトライが一定の回数を超えた時にリトライオーバ検出信号を出力するリトライカウンタ（図１の８０）と、並列に接続されたコンデンサおよび抵抗で構成され前記ＶＣＯ制御信号のピークホールド信号を出力するピークホールド回路（図１の５０）と、前記ピークホールド信号の電圧が予め定めた範囲内である状態が一定の時間以上続いた時にゲイン切り換え信号を出力するカウンタ回路（図１の６０、６１、６２および７０）と、磁気テープのプリアンブル領域を読み込む時に最初は前記ローパスフィルタの増幅度を高く設定しておき前記リトライオーバ検出信号が出力されていなければリードデータを一定数以上読み込んだ時に前記ローパスフィルタの増幅度を低く切り換える第１の同期モードで前記ローパスフィルタを制御し前記リトライオーバ検出信号が出力された後は前記ゲイン切り換え信号が出力された時に前記ローパスフィルタの増幅度を低く切り換える第２の同期モードで前記ローパスフィルタを制御するように同期モードを切り換えるゲイン切換器（図１の３０）とを含むことを特徴とする。
【００１０】
本発明の磁気テープ装置におけるＰＬＬ同期検出方法は、磁気テープから読み込んだリードデータと基準データとの位相を位相比較器（図１の１０）で比較し、この位相比較器から出力される位相比較信号をローパスフィルタ（図１の２０）で平滑化すると共に増幅し、このローパスフィルタが出力するＶＣＯ制御信号でＶＣＯ回路（図１の４０）の発振周波数を変化させるＰＬＬを構成し、
磁気テープのプリアンブル領域を読み込む時に最初は前記ローパスフィルタの増幅度を高く設定しておき、前記ＰＬＬの引き込みに失敗しなければ（図７の８）リードデータを一定数以上読み込んだ時に前記ローパスフィルタの増幅度を低く切り換える第１の同期モードとし、前記ＰＬＬの引き込みに失敗した後は前記ＶＣＯ制御信号の電圧波形の最大値が予め定めた範囲内である状態が一定の時間以上続いた時に前記ローパスフィルタの増幅度を低く切り換える第２の同期モードとするように同期モードを切り換える（図７の９）ことを特徴とする。
【００１３】
本発明の磁気テープ装置におけるＰＬＬ同期検出方法は、磁気テープから読み込んだリードデータと基準データとの位相を位相比較器（図１の１０）で比較し、この位相比較器から出力される位相比較信号をローパスフィルタ（図１の２０）で平滑化すると共に増幅し、このローパスフィルタが出力するＶＣＯ制御信号でＶＣＯ回路（図１の４０）の発振周波数を変化させるＰＬＬを構成し、
磁気テープのプリアンブル領域を読み込む時に最初は前記ローパスフィルタの増幅度を高く設定しておき、前記ＰＬＬの引き込みに失敗しなければ（図７の８）リードデータを一定数以上読み込んだ時に前記ローパスフィルタの増幅度を低く切り換える第１の同期モードとし、前記ＰＬＬの引き込みに失敗した後は前記ＶＣＯ制御信号の電圧波形の最大値が予め定めた範囲内である状態が一定の時間以上続いた時に前記ローパスフィルタの増幅度を低く切り換える第２の同期モードとするように同期モードを切り換え（図７の９）、
前記ＰＬＬの引き込みに失敗した時はその読み込みをしている磁気テープのブロックおよび引き続く一定数のブロックにおいて前記第２の同期モードとすることを特徴とする。
【００１４】
本発明の磁気テープ装置におけるＰＬＬ同期検出方法は、磁気テープから読み込んだリードデータと基準データとの位相を位相比較器（図１の１０）で比較し、この位相比較器から出力される位相比較信号をローパスフィルタ（図１の２０）で平滑化すると共に増幅し、このローパスフィルタが出力するＶＣＯ制御信号でＶＣＯ回路（図１の４０）の発振周波数を変化させるＰＬＬを構成し、
磁気テープのプリアンブル領域を読み込む時に最初は前記ローパスフィルタの増幅度を高く設定しておき、前記ＰＬＬの引き込みに失敗しなければ（図７の８）リードデータを一定数以上読み込んだ時に前記ローパスフィルタの増幅度を低く切り換える第１の同期モードとし、前記ＰＬＬの引き込みに失敗した後は前記ＶＣＯ制御信号の電圧波形の最大値が予め定めた範囲内である状態が一定の時間以上続いた時に前記ローパスフィルタの増幅度を低く切り換える第２の同期モードとするように同期モードを切り換え（図７の９）、
前記ＰＬＬの引き込みに失敗した時は、次にテープマークを検出するまでは（図７の４０）、前記第２の同期モードとし、次にテープマークを検出した時に前記第１の同期モードに戻す（図７の５）ことを特徴とする。
【００１５】
【発明の実施の形態】
次に、本発明の実施の形態について図面を参照して詳細に説明する。
【００１６】
図１は、本発明の第１の実施の形態の磁気テープ装置におけるＰＬＬ同期検出回路のブロック図である。
【００１７】
図１を参照すると、本実施の形態の磁気テープ装置におけるＰＬＬ同期検出回路は、磁気テープ装置が磁気テープから読込んだリードデータと基準データの位相比較を行い位相比較信号を出力する位相比較器１０と、位相比較信号の平滑化を図るローパスフィルタ２０と、ローバスフィルタ２０のゲイン切り換えを制御するゲイン切換器３０と、ローパスフィルタ２０が出力するＶＣＯ制御電圧信号により発振周波数を変化させるＶＣＯ回路４０と、ＶＣＯ制御電圧信号を直流信号に置き換えるピークホールド回路５０と、ピークホールド回路５０の出力とスライス電圧１１０および１１１とを比較するコンパレータ６０および６１と、コンパレータ６０および６１の出力の排他的論理和をとるＥｘＯＲゲート６２と、ＥｘＯＲゲート６２の出力が低くセットされている時間をカウントするカウンタ回路７０と、磁気テープ装置でリードエラーを検出し、磁気テープの読み込みをリトライした回数をカウントするリトライカウンタ８０とを有する。
【００１８】
位相比較器１０は、ローパスフィルタ２０に接続され、リードデータと基準データとの位相差をパルス信号として出力する。ローパスフィルタ２０は、位相比較器１０からの位相差パルス信号の平滑化を図るアクティブフィルタにより構成され、平滑化した信号をＶＣＯ制御電圧信号としてＶＣＯ回路４０およびピークホールド回路５０に出力する。
【００１９】
磁気テープ装置による磁気テープのリード処理の実行時に、始めはローパスフィルタ２０のゲインを高く設定しておき、後述の所定の条件が満たされた時にローパスフィルタ２０のゲインを低くする。この所定の条件として、始めに設定する第１の同期モードと、リトライカウンタ８０からのリトライオーバ検出信号が出力された後に設定する第２の同期モードとのいずれかを用いる。ゲイン切換器３０は、リトライオーバ検出信号が出力された時にローパスフィルタ２０のゲインを低くする切換の条件を第１の同期モードから第２の同期モードとなるようにローパスフィルタ２０の制御を切り換える。
【００２０】
ＶＣＯ回路４０は、ローパスフィルタ２０から供給されるＶＣＯ制御電圧により発振周波数が変化する素子であり、ＶＣＯ制御電圧が上がった場合は、発振周波数が下がり、逆にＶＣＯ制御電圧が下がった場合は、発振周波数は上がるように動作する。ＶＣＯ回路４０の出力を用いてリードデータの処理に用いるクロック信号等が生成されと共に、位相比較器１０に入力する基準データも生成される。
【００２１】
ピークホールド回路５０は、図４に示すようにローパスフィルタ２０の出力線に抵抗１０１の一端およびコンデンサ１０２の一端に接続し、抵抗１０１の他端を−５Ｖの電源に接続し、コンデンサ１０２の他端を接地したもので、図５に示すようにローパスフィルタ２０から供給される位相比較器１０が出力する位相比較信号を平滑化し、擬似的な直流信号に変換したピークホールド信号を生成する。
【００２２】
ピークホールド回路５０で変換後のピークホールド信号をコンパレータ６０および６１の『−』入力端子に出力する。コンパレータ６０および６１それぞれの『＋』入力端子側には、スライス電圧１１０および１１１が供給されており、ピークホールド回路５０から供給される擬似的な直流信号であるピークホールド信号がスライス電圧１１０および１１１の双方を下回っている間、コンパレータ６０および６１双方の出力は高くセットされる。コンパレータ６０および６１の出力は、後段のＥｘＯＲゲート６２で排他的論理和がとられ、その出力をカウンタ回路７０に供給する。
【００２３】
カウンタ回路７０は、ＥｘＯＲゲート６２から供給される信号が低くセットされている時間をデータ周期の半分の周期のクロックでサンプリングし、８カウント分の時間ロー状態が保持された場合、ゲイン切換器３０に対し、後述の第２の同期モードのハイゲインリセット（Ｈｉｇｈ  Ｇａｉｎ  Ｒｅｓｅｔ）信号を出力する。
【００２４】
リトライカウンタ８０は、リードエラーが発生し、リトライ動作が入った場合に、そのリトライ動作の回数をカウントし、リトライ回数が１６回を越えた時に、ゲイン切換器３０に対し、リトライオーバ検出信号を出力する。
【００２５】
次に、本実施の形態の動作について図面を参照して説明する。
図２は、磁気テープの各領域を読込んだ時の磁気テープ装置のリード信号、その他各種の信号の状態の一例を示す図である。図２において、上から順にリード信号、磁気テープ、ＣＯＡＳＴ信号（磁気テープのプリアンブル等を含むデータ領域を読込み時に磁気テープ装置が出力する信号）、第１の同期モードでのゲイン切換器３０からローパスフィルタ２０へ出力されるハイゲインリセット信号１０３、ＶＣＯ制御電圧信号および磁気テープ装置が出力するデータエラー信号ならびに第２の同期モードでのハイゲインリセット信号１０４、ＶＣＯ制御電圧信号およびデータエラー信号を示す。
【００２６】
磁気テープ装置のリード処理実行時に、プリアンブル領域の読み込み開始からローパスフィルタ２０のゲインは高く設定しておく。
【００２７】
図２の第１の同期モードで示すように、プリアンブル領域の読み込みに突入してから読込んだプリアンブル領域の“１”データを約４０個カウントしたところでハイゲインリセット信号１０３がセットされ、ローパスフィルタ２０のゲインは、高い状態から低い状態に切り換えられる。データ周期が正常であれば、通常は“１”データを４０個も読み込むうちにＰＬＬの引き込み動作が完了し、後に続くデータ領域のデータを間違いなく読み取ることができる。しかし、データ周期が広くまたは狭くなっていると、“１”データの４０個を読込んでもＰＬＬの引き込み動作が完了せず、ＰＬＬ引き込みがなされてないうちにローパスフィルタ２０のゲインが低く切り換ってしまうために引き込み途中でデータ領域に突入してしまいリードエラーが発生する。リードエラーが発生すると磁気テープ装置は、リードエラー信号を出力すると共に、磁気テープを一旦逆に送ってから同じプリアンブル領域を再度読込むリトライを行う。
【００２８】
プリアンブル領域内でＰＬＬの引き込み動作が完了せずリードエラーが検出されると、そのリードエラー信号はリトライカウンタ８０に送られる。リトライカウンタ８０は、そのリードエラー信号の発生回数を最大１６回までカウントすることが出来、１６回以内でのリトライでデータの読み込みが成功した場合は、次処理に進むが、１６回のリトライを行ってもデータの読み込みが成功しない場合は、ゲイン切換器３０に対し、リトライオーバ検出信号を出力する。
【００２９】
図６は、ローパスフィルタ２０およびゲイン切換器３０の詳細を示すブロック図である。
【００３０】
ローパスフィルタ２０は、位相比較器１０からの位相比較信号に抵抗Ｒ１に次いで抵抗Ｒ２が直列に接続され、さらに抵抗Ｒ２に続いて増幅器１０５の「−」端子が接続され、増幅器１０５の出力はＶＣＯ回路４０およびピークホールド回路５０に接続され、「＋」端子は直流の基準電圧に接続されている。また、増幅器１０５の「−」端子に抵抗Ｒ３が接続され、抵抗Ｒ３と増幅器１０５の出力端子との間に抵抗Ｒ４およびスイッチＱ２が並列に接続され、スイッチＱ１が抵抗Ｒ１に並列に接続されている。
【００３１】
ゲイン切換器３０は、リトライカウンタ８０からのリトライオーバ検出信号を入力するインバータ１０６と、インバータ１０６からの信号を入力するインバータ１０７と、インバータ１０６の出力に制御され第１の同期モードのハイゲインリセット信号１０３を入力するバッファ回路１０８と、インバータ１０７の出力に制御されカウンタ回路７０からの第２の同期モードのハイゲインリセット信号１０４を入力するバッファ回路１０９とを有する。バッファ回路１０８および１０９の出力は、１本の線に結合され、ローパスフィルタ２０のスイッチＱ１およびＱ２を制御する。
【００３２】
リトライオーバ検出信号が出力される前は、第１の同期モードのハイゲインリセット信号１０３でスイッチＱ１およびＱ２を制御し、リトライオーバ検出信号が出力された後は、第２の同期モードのハイゲインリセット信号１０４でスイッチＱ１およびＱ２を制御するようにする。
【００３３】
第１の同期モードのハイゲインリセット信号１０３は、図２の説明でのようにプリアンブル領域の“１”データを４０個カウントした時にセットされる信号である。
【００３４】
ゲイン切換器３０に、リトライオーバ検出信号が入力されると、ゲイン切換器３０は、スイッチＱ１およびＱ２に供給する信号を第１の同期モードのハイゲインリセット信号１０３から第２の同期モードのハイゲインリセット信号１０４に切り換える。
【００３５】
通常動作時は、第１の同期モードとして図２に示す通りプリアンブル領域（ＡＬＬ“１”）に突入してから、“１”データを約４０個カウントしたところで、ローパスフィルタ２０は高いゲインから低いゲインに切り換わるが、リードエラーが発生した場合は、ＶＣＯ制御電圧の挙動をカウンタ回路７０等でモニタしローパスフィルタ２０のゲインを高いものから低いものへの切り換えを行う第２の同期モードに切り換わる。
【００３６】
第２の同期モードのハイゲインリセット信号１０４の生成について図３を参照し説明する。
【００３７】
ローパスフィルタ２０から出力されるＶＣＯ制御電圧信号をピークホールド回路５０でピークホールドを行い、擬似的なＤＣ信号であるピークホールド信号に変換する。生成されたピークホールド信号を、予め回路側で用意されたスライス電圧１１０および１１１を片端子に入力したコンパレータ６０およびコンパレータ６１に入力し、コンパレータ６０および６１により、パルス信号Ｓ１およびＳ２を生成する。
【００３８】
次に、これらのパルス信号Ｓ１、Ｓ２をＥｘＯＲゲート６２に入力し、これらの信号の排他的論理和により、パルス信号Ｓ３を生成する。このパルス信号の幅は、ＶＣＯ制御電圧信号の安定領域を示している。第２の同期モードのハイゲインリセット信号１０４の切り換えは、このパルス信号Ｓ３のパルス幅をカウンタ回路７０にてカウントし、パルス信号Ｓ３のパルス幅が所定の値に達した場合に行い、ローパスフィルタ２０のゲインを高から低への切り換えを行う。
【００３９】
カウンタ回路７０では、データ周期の半分の周期のクロック信号でパルス信号Ｓ３のパルス幅をカウントし、このパルスＳ３のパルス幅が装置側で設定された所定の値に達した場合に、カウンタ回路７０は、ＶＣＯ制御電圧信号が安定したと判断し、ゲイン切換器３０に出力する第２の同期モードのハイゲインリセット信号１０４をセットする。
【００４０】
ローパスフィルタ２０は、ゲイン切換器３０から出力されてくる第１または第２のハイゲインリセット信号１０３または１０４がセットされると、ゲインを設定するスイッチＱ１、Ｑ２をＯＦＦ状態にし、ローパスフィルタ２０によるＰＬＬ引き込みゲインを低く設定する。
【００４１】
上記のように、リトライを１６回も続けてもリードエラーを回避できないときは、ＶＣＯ制御電圧信号の動きを基に引き込みゲインの切り換えを行うことにより、より安定な引き込み動作を実現出来る。
【００４２】
また、磁気テープ装置の性能上、磁気テープのｎブロックにおいてデータ周期の狭まったデータが検出された場合、ｎ＋１ブロック、ｎ＋２ブロック・・・といったｎブロック以降に続くブロックにおいてもデータ周期が狭まって書き込まれている場合が多いため、ｎブロックで第１の同期モードで１６回のリトライを行ってもＰＬＬの引き込みに失敗し、ｎブロックを第２の同期モードで読み込んだ直後に、元の第１の同期モードに戻すと、ｎ＋１、ｎ＋２・・・ブロックを読み込んだ際に、ｎブロック読み込み時と同様に、リトライが入ってしまうことが多くなるため、ｎブロック読み込み後も、予め定めた数のブロックは続けて第２の同期モードを切り換えたままにしておく。これにより、ｎブロック以降のデータにおけるデータ周期の変動に対してもより安定なＰＬＬの引き込み動作が可能となる。
【００４３】
次に、本発明の第２の実施の形態の磁気テープ装置におけるＰＬＬ同期検出回路を図７のフローチャートを参照し説明する。
【００４４】
本実施の形態も第１の同期モードまたは第２の同期モードによりローパスフィルタ２０のゲインを切り換えることは、第１の実施の形態について図１〜図６を用いて説明したのと同じであるが、磁気テープのいずれかのブロックで第２の同期モードに切り換えてからの続くブロックにおいての同期モードの切り換え方が第１の実施の形態と異なる。
【００４５】
図７において、上位装置（ホスト）からリード処理命令を受け取ると、磁気テープ装置のリード回路は、リード処理を実行し（図７のステップ１）、リードエラーの有無を判定する（ステップ２）。ここで、リードエラーの発生が無いと判定された場合は、そのブロックをリードする際に、ゲイン切換器３０で同期検出手段の切り換え、すなわち第１の同期モードから第２の同期モードへの切り換えが行われたかどうかの判定が行われる（ステップ３）。この場合は、同期検出手段の切り換えが行われていない為、次処理に進む（ステップ６）。
【００４６】
しかし、リードエラーが発生した場合は、ステップ２からステップ７へ進み、リトライカウンタ８０で、リードエラーの回数がカウントされ、リトライが所定の回数に達してなければリトライが行われる（ステップ１）。そして、リトライの回数が所定の回数（本実施の形態では、１６回としている。）に達すると、同期検出手段の切り換えが行われ、第２の同期モードへ切り換えられる（ステップ８、９）。
【００４７】
ステップ９で第２の同期モードへ切り換えた後に再リードを行い（ステップ１）、リードエラーが無いと判定された場合は（ステップ２）、次に、そのブロックをリードした際に同期検出手段の切り換えが行われたかどうかの判定が行われる（ステップ３）。この場合は、同期検出手段の切り換え、すなわち第２の同期モードへの切り換えが行われている為、次に、ここで読みとったブロックがテープマーク（Ｔａｐｅ  Ｍａｒｋ）かどうかの判断が行われる（ステップ４）。ここで、テープマークが確認された場合は、元の第１の同期モードの同期検出手段に戻し（ステップ５）、次処理が行われる（ステップ５）。テープマークが検出されなかった場合は、同期検出手段を切り換えず、引き続き第２の同期モードで次ブロックのリードが行われる（ステップ１）。
【００４８】
一般に、磁気テープに一回分のデータを記録し終えた時点でその磁気テープにテープマークが記録され、テープマークの記録後に磁気テープが磁気テープ装置から一旦取り外されることも多く、１つのテープマークの前方でデータ周期が通常のものより広がっていたり、狭くなっていても、そのテープマークの後方ではデータ周期が通常の長さに戻っている場合が多い。従って、本実施の形態のように第２の同期モードで読込んでテープマークを検出した時点で第１の同期モードに戻してもリードエラーがなくデータを読み込むことができる場合が多い。
【００４９】
なお、本発明の第３の実施の形態として、リトライカウンタ８０を設けずに、第２の同期モードのみを用いるようにし、ローパスフィルタ２０のゲインを始めは高く設定しておき、カウンタ７０が第２の同期モードのハイゲインリセット信号１０４をセットした時にのみローパスフィルタ２０のゲインを下げるようにした磁気テープ装置におけるＰＬＬ同期検出回路も考えられる。
【００５０】
【発明の効果】
本発明の磁気テープ装置におけるＰＬＬ同期検出回路および方法は、以上説明したように、テープ走行速度変動が生じたドライブで生成されたデータ周期が狭まった（広がった）データが、リードデータとしてＰＬＬ回路に入力されたときでもリードエラーを回避して、ＰＬＬの引き込み動作が行われ、磁気テープのデータの読み込みが可能となるという効果がある。
【図面の簡単な説明】
【図１】本発明の第１の実施の形態の磁気テープ装置におけるＰＬＬ同期検出回路のプロック図である。
【図２】図１に示す磁気テープ装置におけるＰＬＬ同期検出回路の各種での信号を磁気テープのプリアンブル領域等の関係で示す波形図である。
【図３】図１中のローパスフィルタ２０、ピークホールド回路５０、コンパレータ６０および６１、ＥｘＯＲゲート６２が出力する信号ならびにローパスフィルタに入力されるハイゲインリセット信号を示す波形図である。
【図４】図１中のピークホールド回路５０の詳細な回路図である。
【図５】図４に示すピークホールド回路５０が出力するピークホールド信号を図１中のローパスフィルタ２０が出力するＶＣＯ制御電圧信号との関係で示す波形図である。
【図６】図１中のローパスフィルタ２０およびゲイン切換器３０の詳細な回路図である。
【図７】本発明の第２の実施の形態の磁気テープ装置におけるＰＬＬ同期検出回路の動作を示す流れ図である。
【符号の説明】
１〜９    ステップ
１０    位相比較器
２０    ローパスフィルタ
３０    ゲイン切換器
４０    ＶＣＯ回路
５０    ピークホールド回路
６０    コンパレータ
６１    コンパレータ
６２    ＥｘＯＲゲート
７０    カウンタ回路
８０    リトライカウンタ
１０１    抵抗
１０２    コンデンサ
１０３    第１の同期モードのハイゲインリセット信号
１０４    第２の同期モードのハイゲインリセット信号
１０５    増幅器
１０６    インバータ
１０７    インバータ
１０８    バッファ回路
１０９    バッファ回路
１１０    スライス電圧
１１１    スライス電圧
【図１】
0003821726.tif 000002
【図２】
0003821726.tif 000003
【図３】
0003821726.tif 000004
【図４】
0003821726.tif 000005
【図５】
0003821726.tif 000006
【図６】
0003821726.tif 000007
【図７】
0003821726.tif 000008